(57)【要約】【課題】ユニットクーラー用ダンパーの安定した開閉動作を確保して冷凍・除霜効率の悪化を回避するとともに、運転コストも低く抑えることのできるユニットクーラー等を提供する。【解決手段】冷凍冷蔵装置に取り付けられ、該装置内の空気を吸込口から吸い込み、冷却器で冷却し、吹出口３から吹き出す冷凍冷蔵装置用ユニットクーラーに備えられ、冷却運転時に開いて冷気の流れを許容し、除霜時に閉じて暖気の流出を阻止するダンパー１であって、吹出口３を横切るように固定された軸４の回りに回転する風圧式シャッター１１（１１Ａ、１１Ｂ）と、軸４内に設けられたヒーター１２とを備えるユニットクーラー用ダンパー１等。吹出口３を横切るように固定された軸４は、水平方向に延設され、風圧式シャッター１１は、上面視円形開口として形成された吹出口３を開閉するように構成することができる。【選択図】図１
2010261661.tif 000002
【特許請求の範囲】
【請求項１】
冷凍冷蔵装置に取り付けられ、該装置内の空気を吸込口から吸い込み、冷却器で冷却し、吹出口から吹き出す冷凍冷蔵装置用ユニットクーラーに備えられ、冷却運転時に開いて冷気の流れを許容し、除霜時に閉じて暖気の流出を阻止するダンパーであって、
前記吹出口を横切るように固定された軸の回りに回転する風圧式シャッターと、
該軸内に設けられたヒーターとを備えることを特徴とするユニットクーラー用ダンパー。
【請求項２】
前記吹出口を横切るように固定された軸は、水平方向に延設され、前記風圧式シャッターは、上面視円形開口として形成された前記吹出口を開閉することを特徴とする請求項１に記載のユニットクーラー用ダンパー。
【請求項３】
冷凍冷蔵装置に取り付けられ、該装置内の空気を吸込口から吸い込み、冷却器で冷却し、吹出口から吹き出す冷凍冷蔵装置用ユニットクーラーに備えられ、冷却運転時に開いて冷気の流れを許容し、除霜時に閉じて暖気の流出を阻止するダンパーであって、
前記吹出口を横切るように回転可能に装着された回転軸と、
該回転軸に固定された風圧式シャッターと、
該回転軸内に設けられたヒーターとを備えることを特徴とするユニットクーラー用ダンパー。
【請求項４】
前記吹出口を横切るように回転可能に装着された回転軸は、水平方向に延設され、前記風圧式シャッターは、側面視円形開口として形成された前記吹出口を開閉することを特徴とする請求項３に記載のユニットクーラー用ダンパー。
【請求項５】
冷凍冷蔵装置に取り付けられ、該装置内の空気を吸込口から吸い込み、冷却器で冷却し、吹出口から吹き出す冷凍冷蔵装置用ユニットクーラーであって、
請求項１乃至４のいずれかに記載のダンパーを備えることを特徴とするユニットクーラー。
【発明の詳細な説明】
【技術分野】
【０００１】
本発明は、大型の冷凍冷蔵庫や、小型の冷蔵ショーケース等を備える冷凍冷蔵装置に用いられるユニットクーラー等に関する。
【背景技術】
【０００２】
従来、海岸等に設置され、肉、魚等を貯蔵する大型の冷凍庫の天井部等には、冷凍サイクルの蒸発器に相当する装置として、ユニットクーラーが用いられる（例えば、特許文献１参照）。このユニットクーラーは、例えば、図５に示すように、本体３２内に、冷媒が流れる配管としてのコイル３３と、フィン３４と、チャッキダンパー３６と、冷凍庫内に冷風を送るためのファン３７と、吸込みフード３５と、ドレンパン３８と、ドレンパン３８に貯まったドレンを系外に排出するための排水管３９等を備える。チャッキダンパー３６は、通常運転時には、ファン３７の運転によって生ずる風圧によって開いて冷気を冷凍庫内に流すとともに、除霜運転中には、ファン３７の運転の停止に伴って閉まり、ユニットクーラー３１内の湯気が冷凍庫内に流れないように構成される。
【０００３】
また、このユニットクーラー３１には、各所に付着した霜を落とすための除霜設備として、コイル３３及びフィン３４（熱交換器）の回りに付着した霜を落とすための主ヒーター４１と、ドレンパン３８、吸込みフード３５、チャッキダンパー３６、ファン３７の各々に付着した霜を落とすための、ドレンパンヒーター（副ヒーター）４２、吸込みフードヒーター４６、ダンパーヒーター４３、ファンロック防止ヒーター４４を備え、さらに、排水管３９の入口部に設けられる排水口ヒーター４５と、排水管３９の全体に付着した霜を落とすための排水管ヒーター４７とを備える。
【先行技術文献】
【特許文献】
【０００４】
【特許文献１】特開平１１−２５７８２６号公報
【発明の概要】
【発明が解決しようとする課題】
【０００５】
しかし、上記ユニットクーラー３１等には、チャッキダンパー３６に付着した霜を落とすためにダンパーヒーター４３が設けられているが、冷凍庫等の内部の温度が約−４０℃〜−２０℃程度となるため、チャッキダンパー３６を開閉するための回転軸等が凍結し、チャッキダンパー３６が開閉困難となり、冷凍・除霜運転に支障を来したり、回転軸等の凍結を回避するためにダンパーヒーター４３の発生熱量を大きくすることで、運転コストが上昇するという問題があった。
【０００６】
そこで、本発明は、上記従来の技術における問題点に鑑みてなされたものであって、チャッキダンパー３６の安定した開閉動作を確保して冷凍・除霜効率の悪化を回避するとともに、運転コストも低く抑えることのできるユニットクーラー等を提供することを目的とする。
【課題を解決するための手段】
【０００７】
上記目的を達成するため、本発明は、冷凍冷蔵装置に取り付けられ、該装置内の空気を吸込口から吸い込み、冷却器で冷却し、吹出口から吹き出す冷凍冷蔵装置用ユニットクーラーに備えられ、冷却運転時に開いて冷気の流れを許容し、除霜時に閉じて暖気の流出を阻止するダンパーであって、前記吹出口を横切るように固定された軸の回りに回転する風圧式シャッターと、該軸内に設けられたヒーターとを備えることを特徴とする。
【０００８】
そして、本発明によれば、吹出口を横切るように固定され、風圧式シャッターと相対的に回転可能な軸内にヒーターを備えるため、風圧式シャッターと軸との間の凍結によってダンパーが開閉困難となることを防止することができ、安定した冷凍・除霜運転を確保することができるとともに、効率的な加熱により運転コストも低く抑えることができる。
【０００９】
上記ユニットクーラー用ダンパーにおいて、前記吹出口を横切るように固定された軸を、水平方向に延設し、前記風圧式シャッターを、上面視円形開口として形成された前記吹出口を開閉するように構成し、水平型のダンパーとすることができる。
【００１０】
また、本発明は、冷凍冷蔵装置に取り付けられ、該装置内の空気を吸込口から吸い込み、冷却器で冷却し、吹出口から吹き出す冷凍冷蔵装置用ユニットクーラーに備えられ、冷却運転時に開いて冷気の流れを許容し、除霜時に閉じて暖気の流出を阻止するダンパーであって、前記吹出口を横切るように回転可能に装着された回転軸と、該回転軸に固定された風圧式シャッターと、該回転軸内に設けられたヒーターとを備えることを特徴とする。本発明によれば、上記発明と同様に、運転コストを低く抑えながら、安定した冷凍・除霜運転を確保することができる。
【００１１】
前記吹出口を横切るように回転可能に装着された回転軸を水平方向に延設し、前記風圧式シャッターを、側面視円形開口として形成された前記吹出口を開閉するように構成し、垂直型のダンパーとすることができる。
【００１２】
また、本発明は、冷凍冷蔵装置に取り付けられ、該装置内の空気を吸込口から吸い込み、冷却器で冷却し、吹出口から吹き出す冷凍冷蔵装置用ユニットクーラーであって、上記いずれかのダンパーを備えることを特徴とする。この冷凍冷蔵装置用ユニットクーラーによれば、ダンパーの安定した開閉動作を確保して冷凍・除霜効率の悪化を回避し、運転コストを低く抑えることができる。
【発明の効果】
【００１３】
以上のように、本発明によれば、ユニットクーラー用ダンパー（チャッキダンパー）の安定した開閉動作を確保して冷凍・除霜効率の悪化を回避するとともに、運転コストも低く抑えることのできるユニットクーラー等を提供することができる。
【図面の簡単な説明】
【００１４】
【図１】本発明にかかるユニットクーラー用ダンパーの第１の実施形態を示す斜視図である。
【図２】図１のユニットクーラー用ダンパーの上面図である。
【図３】図１のユニットクーラー用ダンパーの軸及びその近傍の拡大図である。
【図４】本発明にかかるユニットクーラー用ダンパーの第２の実施形態を示す斜視図である。
【図５】従来用いられるユニットクーラーの概略構成図である。
【発明を実施するための形態】
【００１５】
次に、本発明を実施するための形態について、図面を参照しながら詳細に説明する。
【００１６】
図１〜図３は、本発明にかかるユニットクーラー用ダンパー（以下、「チャッキダンパー」という）の第１の実施形態を示し、このチャッキダンパー１は、図５のユニットクーラー３１のチャッキダンパー３６に相当するものであって、大別して、ユニットクーラーの本体（不図示）への取付部２と、円形の吹出口３を横切るように取付部２のフランジ部２ａに固定された軸４と、ブラケット６〜９等を介して軸４に回動可能に装着された風圧式シャッター１１（１１Ａ、１１Ｂ）とを備えた水平型のダンパーである。
【００１７】
取付部２は、吹出口３を囲繞するフランジ部２ａと、取付部２全体をユニットクーラーの本体の天井部等にボルト等を介して取り付けるための４つの貫通孔２ｂと、軸４を固定するためのブラケット２ｃ（図２及び図３参照）と、シャフトヒーター１２の端部１２ａを固定するための固定部２ｄ（図２参照）とを備える。
【００１８】
軸４は、全体的に中空の円筒状に形成され、水平方向に延設され、図３に示すように、軸４の両端部は取付部２のフランジ部２ａにブラケット２ｃを介して固定される。この軸４の内部には、棒状のシャフトヒーター１２が挿入され、固定部４ａを介して溶接等によって軸４に固定される。
【００１９】
シャフトヒーター１２は、上述のように全体的に棒状に形成されて軸４の内部に挿入固定され、図２に示した軸４の下端部において軸４から外部に導出され、取付部２に固着された固定部２ｄに固定される。シャフトヒーター１２の端部１２ａには、図示しない電力供給手段から電力が供給され、シャフトヒーター１２の内部に巻回されたニクロム線等によってシャフトヒーター１２全体が昇温される。
【００２０】
風圧式シャッター１１（１１Ａ、１１Ｂ）は、全体的に上面視円形に形成され、各々のシャッター１１Ａ、１１Ｂは半円形に形成され、軸４を挟んで相対向して吹出口３を塞ぐことができるように配置される。各々のシャッター１１Ａ、１１Ｂは、ブラケット６〜９、取付板１４〜１７及びボルト等の締結部材（不図示）を介して軸４に回動可能に装着される。
【００２１】
図２のハッチングを付した部分は、取付部２のフランジ部２ａの外周面に貼着されたアルミ箔ヒーター１０を示し、このアルミ箔ヒーター１０にも、図示しない電力供給手段から電力が供給され、アルミ箔ヒーター１０全体が昇温される。
【００２２】
次に、上記構成を有するチャッキダンパー１の動作について、図１〜図３を参照しながら説明する。
【００２３】
図１は、ユニットクーラーの本体の天井部等に固定されたチャッキダンパー１の風圧式シャッター１１が、下方に位置するファン（不図示）によって吹き上げられる冷気によって押し上げられ、軸４の回りに回転して開き、冷気の流れを許容している状態を示している。この状態で、風圧式シャッター１１の上方に位置する冷凍庫等の内部に冷風を送ることができる。
【００２４】
一方、除霜運転中には、ファンが停止し、図２に示すように、風圧式シャッター１１が自重により閉じて、ユニットクーラー内の湯気が冷凍庫内に流れないように、暖気を遮断する。この状態でシャフトヒーター１２及びアルミ箔ヒーター１０に電力が供給され、シャフトヒーター１２によって軸４を暖め、風圧式シャッター１１とのヒンジ部（軸４とブラケット６〜９との間）を加熱することで、このヒンジ部の凍結を解氷する。同時に、アルミ箔ヒーター１０によって取付部２のフランジ部２ａを暖め、フランジ部２ａと風圧式シャッター１１との間が凍結して風圧式シャッター１１の開閉動作が困難となることを防止する。
【００２５】
以上のように、本実施の形態によれば、水平型のチャッキダンパー１において、シャフトヒーター１２とアルミ箔ヒーター１０とで風圧式シャッター１１等の各部の凍結を防止するため、チャッキダンパー１の安定した開閉動作を確保することができ、冷凍・除霜効率の悪化を回避することができるとともに、効率的な加熱を行っているため、運転コストも低く抑えることができる。
【００２６】
次に、本発明にかかるユニットクーラー用ダンパー（チャッキダンパー）の第２の実施形態について、図４を参照しながら説明する。
【００２７】
このチャッキダンパー２１も、図５のユニットクーラー３１のチャッキダンパー３６に相当するものであって、大別して、ユニットクーラーの本体（不図示）への取付部２２と、円形の吹出口２３を横切るように取付部２２に回転可能に支持された回転軸２４と、ブラケット２５、２６等を介して回転軸２４に固定された風圧式シャッター２７とを備えた垂直型のダンパーである。
【００２８】
取付部２２は、吹出口２３を囲繞するフランジ部２２ａと、取付部２２全体をユニットクーラーの本体の側面等にボルト等を介して取り付けるための４つの貫通孔２２ｂと、軸４を回転可能に支持するための軸受部２２ｃと、シャフトヒーター２８の端部２８ａを固定するための固定部２２ｄとを備える。
【００２９】
回転軸２４は、全体的に中空の円筒状に形成され、水平方向に延設され、回転軸２４の両端部は取付部２２の軸受部２２ｃによって回転可能に支持される。この回転軸２４の内部には、棒状のシャフトヒーター２８が挿入され、回転軸２４の内部に固定される。
【００３０】
シャフトヒーター２８は、図１〜図３に示したシャフトヒーター１２と同様に、全体的に棒状に形成されて回転軸２４の内部に挿入固定され、回転軸２４の左端部において回転軸２４から外部に導出され、取付部２２に固着された固定部２２ｄに固定される。シャフトヒーター２８の端部２８ａには、図示しない電力供給手段から電力が供給され、シャフトヒーター２８の内部に巻回されたニクロム線等によってシャフトヒーター２８全体が昇温される。
【００３１】
風圧式シャッター２７は、全体的に円板状に形成され、回転軸２４にブラケット２５、２６、取付板２９、３０、ボルト等の締結部材（不図示）を介して固定され、自重によりその表面が鉛直面と平行になり、吹出口２３を塞ぐことができるように配置される。
【００３２】
尚、図示を省略するが、この取付部２２のフランジ部２２ａにも、図２に示したアルミ箔ヒーターが貼着され、図示しない電力供給手段から電力が供給され、アルミ箔ヒーター全体が昇温される。
【００３３】
次に、上記構成を有するチャッキダンパー２１の動作について、図４を参照しながら説明する。
【００３４】
図４は、ユニットクーラーの本体の側面等に固定されたチャッキダンパー２１の風圧式シャッター２７が、背後に存在するファン（不図示）によって吹き付けられる冷気によって押し上げられ、回転軸２４とともに回転して開き、冷気の流れを許容している状態を示している。この状態で、風圧式シャッター２７の手前側に位置する冷凍庫等の内部に冷風を送ることができる。
【００３５】
一方、除霜運転中には、ファンが停止し、風圧式シャッター２７が図４の矢視方向に自重により移動して閉じ、ユニットクーラー内の湯気が冷凍庫内に流れないように、冷気を遮断する。この状態でシャフトヒーター２８及びアルミ箔ヒーターに電力が供給され、シャフトヒーター２８によって回転軸２４を暖め、取付部２２の軸受部２２ｃ等を加熱することで、この部分の凍結を防止する。同時に、アルミ箔ヒーターによって取付部２２のフランジ部２２ａを暖め、フランジ部２２ａと風圧式シャッター２７との間が凍結して風圧式シャッター２７の開閉動作が困難となることを防止する。
【００３６】
以上のように、本実施の形態によれば、垂直型のチャッキダンパー２１において、シャフトヒーター２８とアルミ箔ヒーターとで風圧式シャッター２７及び回転軸２４の各部の凍結を防止するため、チャッキダンパー２１の安定した開閉動作を確保することができ、冷凍・除霜効率の悪化を回避することができるとともに、効率的な加熱を行っているため、運転コストも低く抑えることができる。
【００３７】
尚、上記実施の形態においては、軸４、回転軸２４が水平方向に延設される場合を例にとって説明したが、軸４、回転軸２４の延設方向は、必ずしも水平方向に限定されず、鉛直方向やその他の方向であってもよい。
【符号の説明】
【００３８】
１  チャッキダンパー
２  取付部
２ａ  フランジ部
２ｂ  貫通孔
２ｃ  ブラケット
２ｄ  固定部
３  吹出口
４  軸
４ａ  固定部
６〜９  ブラケット
１０  アルミ箔ヒーター
１１（１１Ａ、１１Ｂ）  風圧式シャッター
１２  シャフトヒーター
１２ａ  端部
１４〜１７  取付板
２１  チャッキダンパー
２２  取付部
２２ａ  フランジ部
２２ｂ  貫通孔
２２ｃ  軸受部
２２ｄ  固定部
２３  吹出口
２４  回転軸
２５  ブラケット
２６  ブラケット
２７  風圧式シャッター
２８  シャフトヒーター
２８ａ  端部
２９  取付板
３０  取付板
【図１】
2010261661.tif 000003
【図２】
2010261661.tif 000004
【図３】
2010261661.tif 000005
【図４】
2010261661.tif 000006
【図５】
2010261661.tif 000007